(57)【要約】【課題】時計の表示に関する設定を維持できる電子回路および電子時計を提供すること。【解決手段】電子回路は、ＶＤＤ端子およびＶＳＳ端子の間に直列に接続されたヒューズＨ１１およびヒューズＨ１２と、ヒューズＨ１１およびヒューズＨ１２の間に接続された入力端子Ｔ１１を有する設定回路６３２と、を備え、設定回路６３２は、ヒューズＨ１１が切断されておらず、ヒューズＨ１２が切断されている場合に、時計の表示に関する第一の設定を行い、ヒューズＨ１２が切断されておらず、ヒューズＨ１１が切断されている場合に、時計の表示に関する第二の設定を行う。【選択図】図３
2017096849.tif 000002
【特許請求の範囲】
【請求項１】
第一の電源端子および第二の電源端子の間に直列に接続された第一のヒューズおよび第二のヒューズと、
前記第一のヒューズおよび前記第二のヒューズの間に接続された入力端子を有する設定回路と、を備え、
前記設定回路は、
前記第一のヒューズが切断されておらず、前記第二のヒューズが切断されている場合に、時計の表示に関する第一の設定を行い、
前記第二のヒューズが切断されておらず、前記第一のヒューズが切断されている場合に、時計の表示に関する第二の設定を行う
ことを特徴とする電子回路。
【請求項２】
請求項１に記載の電子回路において、
前記設定回路は、
前記第一の設定として、時計が備える指針の運針周期を第一の運針周期とする設定を行い、
前記第二の設定として、前記運針周期を第二の運針周期とする設定を行う
ことを特徴とする電子回路。
【請求項３】
請求項１に記載の電子回路において、
前記設定回路は、
前記第一の設定として、時計の電源電圧が低下した場合に、時計が備える指針を通常の運針周期とは異なる所定の運針周期で運針させるためのクロック信号を生成する設定を行い、
前記第二の設定として、前記クロック信号を生成しない設定を行う
ことを特徴とする電子回路。
【請求項４】
請求項１に記載の電子回路において、
前記設定回路は、
前記第一の設定として、時計が備える指針を早送りする際の速度を第一の速度とする設定を行い、
前記第二の設定として、前記速度を第二の速度とする設定を行う
ことを特徴とする電子回路。
【請求項５】
第一の電源端子および第二の電源端子の間に直列に接続された第一のヒューズおよび第二のヒューズと、
前記第一の電源端子および前記第二の電源端子の間に直列に接続され、前記第一のヒューズおよび前記第二のヒューズとは並列に接続された第三のヒューズおよび第四のヒューズと、
前記第一のヒューズおよび前記第二のヒューズの間に接続された第一の入力端子、および、前記第三のヒューズおよび前記第四のヒューズの間に接続された第二の入力端子を有する設定回路と、を備え、
前記設定回路は、
前記第一のヒューズが切断されておらず、前記第二のヒューズが切断され、かつ、前記第三のヒューズが切断されておらず、前記第四のヒューズが切断されている場合に、時計の表示に関する第一の設定を行い、
前記第一のヒューズが切断されておらず、前記第二のヒューズが切断され、かつ、前記第四のヒューズが切断されておらず、前記第三のヒューズが切断されている場合に、時計の表示に関する第二の設定を行い、
前記第二のヒューズが切断されておらず、前記第一のヒューズが切断され、かつ、前記第三のヒューズが切断されておらず、前記第四のヒューズが切断されている場合に、時計の表示に関する第三の設定を行い、
前記第二のヒューズが切断されておらず、前記第一のヒューズが切断され、かつ、前記第四のヒューズが切断されておらず、前記第三のヒューズが切断されている場合に、時計の表示に関する第四の設定を行う
ことを特徴とする電子回路。
【請求項６】
請求項５に記載の電子回路において、
前記設定回路は、
前記第一の設定として、時計が備える指針を早送りする際の速度を第一の速度とする設定を行い、
前記第二の設定として、前記速度を第二の速度とする設定を行い、
前記第三の設定として、前記速度を第三の速度とする設定を行い、
前記第四の設定として、前記速度を第四の速度とする設定を行う
ことを特徴とする電子回路。
【請求項７】
請求項１から請求項６のいずれか１項に記載の電子回路において、
前記第一の電源端子と前記第一のヒューズとの間、または、前記第二の電源端子と前記第二のヒューズとの間に設けられたスイッチ素子を備え、
前記スイッチ素子は、検査モードか否かを示すモード信号に応じて、前記第一の電源端子と前記第一のヒューズとの間、または、前記第二の電源端子と前記第二のヒューズとの間の接続状態を、導通状態または非導通状態に切り替える
ことを特徴とする電子回路。
【請求項８】
請求項１から請求項７のいずれか１項に記載の電子回路において、
前記第一のヒューズおよび前記第二のヒューズの間に接続されたヒューズ間入力端子と、
検査モードか否かを示すモード信号が入力されるモード信号入力端子と、
検査用の信号が入力される検査用信号入力端子と、を有する信号切替回路を備え、
前記信号切替回路は、前記モード信号に応じて、前記ヒューズ間入力端子に入力される信号、または、前記検査用の信号を、前記設定回路に出力する
ことを特徴とする電子回路。
【請求項９】
請求項１から請求項８のいずれか１項に記載の電子回路と、
表示手段と、を備え、
前記設定回路は、前記表示手段による表示に関する設定を行う
ことを特徴とする電子時計。
【発明の詳細な説明】
【技術分野】
【０００１】
本発明は、ヒューズを備えた電子回路および電子時計に関する。
【背景技術】
【０００２】
従来、ヒューズを有し、当該ヒューズが切断されているか否かに応じて、Ｈレベル信号、または、Ｌレベル信号を生成する信号生成回路が知られている（例えば、特許文献１参照）。
特許文献１の電子回路は、蓄電手段を備える電子時計に設けられ、蓄電手段に対する充電電流を検出するための複数のコンパレーターを備えている。そして、各コンパレーターは、定電流源を備え、当該定電流源は、定電流を調整するための複数のスイッチを備えている。各スイッチは、定電流が流れる経路に接続されたＮチャネルトランジスターＴＲＳと、ＮチャネルトランジスターＴＲＳのゲートおよび接地線間に介挿された抵抗Ｒと、当該ゲートと電源ＶＤＤとの間に介挿されたヒューズＦとにより構成されている。
そして、この電子回路では、切断するヒューズＦの数に応じて、定電流が調整される。
各スイッチでは、ヒューズＦが切断されていない場合は、ハイレベル信号がＮチャネルトランジスターＴＲＳのゲートに供給され、ＮチャネルトランジスターＴＲＳがＯＮ状態（導通状態）となる。一方、ヒューズＦが切断されている場合は、Ｌレベル信号がＮチャネルトランジスターＴＲＳのゲートに供給され、ＮチャネルトランジスターＴＲＳがＯＦＦ状態（非導通状態）となる。
すなわち、ヒューズＦおよび抵抗Ｒにより、ヒューズＦが切断されているか否かに応じて、Ｈレベル信号またはＬレベル信号を生成する信号生成回路が構成されている。
【先行技術文献】
【特許文献】
【０００３】
【特許文献１】特開２０１２−１７３１５１号公報
【発明の概要】
【発明が解決しようとする課題】
【０００４】
ここで、特許文献１のように、蓄電手段を備える電子時計に設けられる電子回路では、蓄電手段の蓄電量が少ない場合に、電源電圧が低下する場合がある。この場合、ヒューズＦおよび抵抗Ｒにより構成された前記信号生成回路では、ヒューズＦが切断されない場合に、ＮチャネルトランジスターＴＲＳのゲートに供給される電位が、ＮチャネルトランジスターＴＲＳの閾値電圧よりも低くなり、ＮチャネルトランジスターＴＲＳがＯＦＦ状態となり、設定が替わる場合がある。
特許文献１のように、前記信号生成回路が、蓄電量の検出に関する設定を行う回路に使用される場合は、設定が替わっても検出される蓄電量が変化するに過ぎない。
しかしながら、時計の表示に関する設定では、電源電圧が低下して設定が替わると、表示内容も変わってしまい、使用者に不安を与えてしまう。そのため、電源電圧が低下した場合でも、設定が維持されることが求められるため、時計の表示に関する設定を行う回路に、前記信号生成回路を使用することはできなかった。
【０００５】
本発明の目的は、時計の表示に関する設定を維持できる電子回路および電子時計を提供することにある。
【課題を解決するための手段】
【０００６】
本発明の電子回路は、第一の電源端子および第二の電源端子の間に直列に接続された第一のヒューズおよび第二のヒューズと、前記第一のヒューズおよび前記第二のヒューズの間に接続された入力端子を有する設定回路と、を備え、前記設定回路は、前記第一のヒューズが切断されておらず、前記第二のヒューズが切断されている場合に、時計の表示に関する第一の設定を行い、前記第二のヒューズが切断されておらず、前記第一のヒューズが切断されている場合に、時計の表示に関する第二の設定を行うことを特徴とする。
【０００７】
第一の電源端子は、例えばＶＤＤ端子であり、第二の電源端子は、例えばＶＳＳ端子である。
本発明によれば、第一のヒューズおよび第二のヒューズのうち、第二のヒューズが切断されると、設定回路の入力端子にＨレベル信号が入力され、設定回路は、時計の表示に関する第一の設定を行う。一方、第一のヒューズが切断されると、前記入力端子にＬレベル信号が入力され、設定回路は、時計の表示に関する第二の設定を行う。
このため、第一のヒューズを切断するか第二のヒューズを切断するかで、時計の表示に関する設定を切り替えることができる。
また、本発明によれば、第一のヒューズが切断された場合、および、第二のヒューズが切断された場合の両方において、第一のヒューズおよび第二のヒューズの間のノードは、第一の電源端子および第二の電源端子の一方のみに接続される。このため、前記ノードに供給される信号がＨレベルかＬレベルかの判定は、例えば第二のヒューズの替わりに抵抗が用いられる場合と比べて低い閾値と比較することで行うことができる。これにより、第二のヒューズが切断され、前記ノードが第一の電源端子に接続されている場合に、電源電圧が低下した場合でも、前記ノードに供給される信号の判定が替わることを抑制でき、これにより、設定回路の設定を維持できる。
また、本発明によれば、第一のヒューズおよび第二のヒューズのいずれかが切断されるため、ヒューズが切断された後は、第一の電源端子と第二の電源端子との間が非導通状態となり、第一の電源端子と第二の電源端子との間に貫通電流が流れることを防止できる。これにより、電子回路の消費電力を低減できる。
【０００８】
本発明の電子回路において、前記設定回路は、前記第一の設定として、時計が備える指針の運針周期を第一の運針周期とする設定を行い、前記第二の設定として、前記運針周期を第二の運針周期とする設定を行うことが好ましい。
【０００９】
本発明によれば、ヒューズを選択して切断することで、電子回路が設けられる時計の指針の運針周期を、第一の運針周期または第二の運針周期に設定できる。
また、本発明によれば、電源電圧が低下した場合でも、設定回路の設定を維持できるため、運針周期が切り替わることを防止できる。
【００１０】
本発明の電子回路において、前記設定回路は、前記第一の設定として、時計の電源電圧が低下した場合に、時計が備える指針を通常の運針周期とは異なる所定の運針周期で運針させるためのクロック信号を生成する設定を行い、前記第二の設定として、前記クロック信号を生成しない設定を行うことが好ましい。
【００１１】
本発明の電子回路は、蓄電手段を備えた時計に設けられる。このような時計には、蓄電手段の蓄電量が低下すると、電源電圧が低下した旨を表示するため、秒針などの指針を通常の運針周期とは異なる所定の運針周期（例えば、２秒毎に運針）で移動させるＢＬＤ（Battery Low Display）機能を備えるものがある。
本発明によれば、ヒューズを選択して切断することで、指針を前記所定の運針周期で運針させるためのクロック信号を生成するか否かを切り替えることができる。
また、本発明によれば、電源電圧が低下した場合でも、設定回路の設定を維持できるため、ＢＬＤ機能の実行時、クロック信号が生成されずに指針が停止することを防止できる。
【００１２】
本発明の電子回路において、前記設定回路は、前記第一の設定として、時計が備える指針を早送りする際の速度を第一の速度とする設定を行い、前記第二の設定として、前記速度を第二の速度とする設定を行うことが好ましい。
【００１３】
本発明によれば、ヒューズを選択して切断することで、電子回路が設けられる時計の指針を早送りする際の速度を、第一の速度、または、第二の速度に設定できる。
また、本発明によれば、電源電圧が低下した場合でも、設定回路の設定を維持できるため、指針を早送りする際の速度が切り替わることを防止できる。
【００１４】
本発明の電子回路は、第一の電源端子および第二の電源端子の間に直列に接続された第一のヒューズおよび第二のヒューズと、前記第一の電源端子および前記第二の電源端子の間に直列に接続され、前記第一のヒューズおよび前記第二のヒューズとは並列に接続された第三のヒューズおよび第四のヒューズと、前記第一のヒューズおよび前記第二のヒューズの間に接続された第一の入力端子、および、前記第三のヒューズおよび前記第四のヒューズの間に接続された第二の入力端子を有する設定回路と、を備え、前記設定回路は、前記第一のヒューズが切断されておらず、前記第二のヒューズが切断され、かつ、前記第三のヒューズが切断されておらず、前記第四のヒューズが切断されている場合に、時計の表示に関する第一の設定を行い、前記第一のヒューズが切断されておらず、前記第二のヒューズが切断され、かつ、前記第四のヒューズが切断されておらず、前記第三のヒューズが切断されている場合に、時計の表示に関する第二の設定を行い、前記第二のヒューズが切断されておらず、前記第一のヒューズが切断され、かつ、前記第三のヒューズが切断されておらず、前記第四のヒューズが切断されている場合に、時計の表示に関する第三の設定を行い、前記第二のヒューズが切断されておらず、前記第一のヒューズが切断され、かつ、前記第四のヒューズが切断されておらず、前記第三のヒューズが切断されている場合に、時計の表示に関する第四の設定を行うことを特徴とする。
【００１５】
本発明によれば、第一のヒューズおよび第二のヒューズの一方、および、第三のヒューズおよび第四のヒューズの一方を切断することで、時計の表示に関する第一の設定、第二の設定、第三の設定、第四の設定のいずれかを設定できる。
なお、例えば、各設定のうちの一部は、同じ設定であってもよい。
また、本発明によれば、第一のヒューズが切断された場合、および、第二のヒューズが切断された場合の両方において、第一のヒューズおよび第二のヒューズの間のノードは、第一の電源端子および第二の電源端子の一方のみに接続される。また、第三のヒューズが切断された場合、および、第四のヒューズが切断された場合の両方において、第三のヒューズおよび第四のヒューズの間のノードは、第一の電源端子および第二の電源端子の一方のみに接続される。これにより、電源電圧が低下した場合でも、各ノードに供給される信号の判定が替わることを抑制でき、これにより、設定回路の設定を維持できる。
また、本発明によれば、第一のヒューズおよび第二のヒューズのいずれか、および、第三のヒューズおよび第四のヒューズのいずれかが切断されるため、ヒューズが切断された後は、第一の電源端子と第二の電源端子との間が非導通状態となり、第一の電源端子と第二の電源端子との間に貫通電流が流れることを防止できる。これにより、電子回路の消費電力を低減できる。
【００１６】
本発明の電子回路において、前記設定回路は、前記第一の設定として、時計が備える指針を早送りする際の速度を第一の速度とする設定を行い、前記第二の設定として、前記速度を第二の速度とする設定を行い、前記第三の設定として、前記速度を第三の速度とする設定を行い、前記第四の設定として、前記速度を第四の速度とする設定を行うことが好ましい。
【００１７】
なお、各速度の一部は同じ速度であってもよい。
本発明によれば、ヒューズを選択して切断することで、電子回路が設けられる時計の指針を早送りする際の速度を、第一の速度、第二の速度、第三の速度、第四の速度に設定できる。
【００１８】
本発明の電子回路において、前記第一の電源端子と前記第一のヒューズとの間、または、前記第二の電源端子と前記第二のヒューズとの間に設けられたスイッチ素子を備え、前記スイッチ素子は、検査モードか否かを示すモード信号に応じて、前記第一の電源端子と前記第一のヒューズとの間、または、前記第二の電源端子と前記第二のヒューズとの間の接続状態を、導通状態または非導通状態に切り替えることが好ましい。
【００１９】
第一のヒューズおよび第二のヒューズは、電子回路の電気的特性検査などの検査が行われた後に、時計の仕様に応じて切断されるため、検査の段階では切断されていない。
本発明によれば、検査時に、検査モードであることを示すモード信号をスイッチ素子に供給し、第一の電源端子と第一のヒューズとの間、または、第二の電源端子と第二のヒューズとの間の接続状態を非導通状態に切り替えることで、第一のヒューズまたは第二のヒューズが切断されていなくても、第一の電源端子と第二の電源端子との間に貫通電流が流れることを防止できる。
これにより、前記貫通電流が電子回路の電気的特性検査などの検査に与える影響を、排除することができる。
【００２０】
本発明の電子回路において、前記第一のヒューズおよび前記第二のヒューズの間に接続されたヒューズ間入力端子と、検査モードか否かを示すモード信号が入力されるモード信号入力端子と、検査用の信号が入力される検査用信号入力端子と、を有する信号切替回路を備え、前記信号切替回路は、前記モード信号に応じて、前記ヒューズ間入力端子に入力される信号、または、前記検査用の信号を、前記設定回路に出力することが好ましい。
【００２１】
本発明によれば、検査時に、検査モードであることを示すモード信号、および、任意の検査用の信号を信号切替回路に供給し、信号切替回路に当該検査用の信号を設定回路に出力させることで、設定回路に任意に設定を行わせることができる。このため、第一のヒューズが切断された場合と同様の検査、および、第二のヒューズが切断された場合と同様の検査を、第一のヒューズまたは第二のヒューズを切断することなく行うことができる。
【００２２】
本発明の電子時計は、上記電子回路と、表示手段と、を備え、前記設定回路は、前記表示手段による表示に関する設定を行うことを特徴とする。
本発明によれば、ヒューズを選択して切断することで、表示手段による表示に関する設定を切り替えることができる。
また、電源電圧が低下した場合でも、設定回路の設定を維持できるため、表示手段による表示に関する設定が切り替わることを防止できる。
また、本発明によれば、ヒューズが切断された後は、第一の電源端子と第二の電源端子との間が非導通状態となるため、第一の電源端子と第二の電源端子との間に貫通電流が流れることを防止できる。これにより、電子時計の消費電力を低減できる。
【図面の簡単な説明】
【００２３】
【図１】本発明に係る第一実施形態の電子時計を示す正面図である。
【図２】前記第一実施形態の電子時計の回路構成を示す図である。
【図３】前記第一実施形態の設定切替手段の回路構成を示す図である。
【図４】本発明に係る第二実施形態の設定切替手段の回路構成を示す図である。
【図５】本発明に係る第三実施形態の設定切替手段の回路構成を示す図である。
【図６】本発明に係る第四実施形態の設定切替手段の回路構成を示す図である。
【図７】本発明に係る第五実施形態の設定切替手段の回路構成を示す図である。
【発明を実施するための形態】
【００２４】
以下に、本発明の実施形態を図面に基づいて説明する。
［第一実施形態］
図１は、電子時計１を示す正面図である。
電子時計１は、ユーザーの手首に装着される腕時計であり、円筒状の外装ケース１１を備え、外装ケース１１の内周側に、円盤状の文字板１２が配置されている。外装ケース１１の二つの開口のうち、表面側の開口は、カバーガラス１３で塞がれており、裏面側の開口は図示しない裏蓋で塞がれている。
また、電子時計１は、文字板１２の表面側に、時刻情報を表示する秒針１４、分針１５、時針１６を備えている。各指針１４〜１６は、文字板１２の裏面側に配置されたステップモーター７（図２参照）によって駆動される。
また、外装ケース１１の側面には、りゅうず１７が設けられている。りゅうず１７が操作されることにより、操作に応じた入力を行うことができる。
【００２５】
図２は、電子時計１の回路構成を示す図である。
電子時計１は、回転錘２、発電手段３、整流手段４、蓄電手段５、制御手段６、ステップモーター７を備える。
発電手段３は、回転錘２の運動やりゅうず１７の回転に応じて発電する交流発電機である。
整流手段４は、発電手段３から出力される交流電流を整流する回路であり、全波整流回路や半波整流回路などを例示できる。
蓄電手段５は、例えば、二次電池やキャパシタであり、整流手段４から出力された電流によって充電される。
ステップモーター７は、単一のモーターであり、各指針１４〜１６を駆動する。
【００２６】
制御手段６は、単一の半導体装置で構成され、発振手段６１、分周手段６２、設定切替手段６３、表示制御手段６４、モーター駆動手段６５を備える。
発振手段６１は、水晶振動子などを備え、３２．７６８ｋＨｚなどの所定の周波数の信号を出力する。
分周手段６２は、発振手段６１から出力された信号を分周して出力する。
設定切替手段６３は、分周手段６２から出力された分周信号に基づいて、クロック信号を生成して出力する。なお、設定切替手段６３の詳しい構成については後述する。
表示制御手段６４は、設定切替手段６３から出力されたクロック信号に基づいて、ステップモーター７の駆動を制御する駆動信号を生成し、モーター駆動手段２５５に出力する。
モーター駆動手段は、駆動信号に応じてステップモーター７を駆動させる。
なお、表示制御手段６４、モーター駆動手段６５、ステップモーター７、指針１４〜１６からなる構成は、本発明の表示手段の一例である。
【００２７】
図３は、設定切替手段６３の回路構成を示す図である。
設定切替手段６３は、本発明の電子回路の一例であり、切替信号生成回路６３１と、設定回路６３２とを備える。
切替信号生成回路６３１は、ＶＤＤ端子とＶＳＳ端子との間に直列に接続されたヒューズＨ１１およびヒューズＨ１２と、入力端子が、ヒューズＨ１１およびヒューズＨ１２の間に接続されたバッファーＣ１１とを備えている。本実施形態では、ＶＤＤ端子の電圧は、蓄電手段５の充電量に応じて１．０Ｖ〜２．３Ｖの範囲で変動し（平均値は１．４Ｖ）、ＶＳＳ端子の電圧は０Ｖに設定されている。
ここで、ＶＤＤ端子は、本発明の第一の電源端子の一例であり、ＶＳＳ端子は、本発明の第二の電源端子の一例である。また、ヒューズＨ１１は、本発明の第一のヒューズの一例であり、ヒューズＨ１２は、本発明の第二のヒューズの一例である。
【００２８】
ヒューズＨ１１，Ｈ１２は、配線によって形成され、レーザー等が照射されることで切断可能に構成されている。なお、ヒューズＨ１１、Ｈ１２は、例えば、制御手段６の電気的特性検査などの検査が行われた後に、電子時計１の表示に関する仕様（本実施形態では指針の運針周期に関する仕様）に応じて、いずれか一方が切断される。
【００２９】
バッファーＣ１１は、ＮＭＯＳトランジスターおよびＰＭＯＳトランジスターを備えて構成されている。ここで、バッファーＣ１１の閾値電圧は、制御手段６の動作開始電圧よりも低く設定されている。具体的には、制御手段６の動作開始電圧は、０．７Ｖに設定され、ＮＭＯＳトランジスターの閾値電圧は、０．５Ｖに設定され、ＰＭＯＳトランジスターの閾値電圧は、−０．５Ｖに設定される。これにより、電源電圧が低下し、制御手段６が動作を停止している状態から、電源電圧が上昇する場合などに、バッファーＣ１１の出力信号を安定させた状態で、制御手段６の動作を開始させることができる。
【００３０】
切替信号生成回路６３１では、ヒューズＨ１１が切断された場合は、ヒューズＨ１１およびヒューズＨ１２の間の電位がＬレベル（ＶＳＳ）となり、バッファーＣ１１からＬレベル信号が出力され、ヒューズＨ１２が切断された場合は、前記電位がＨレベル（ＶＤＤ）となり、バッファーＣ１１から、Ｈレベル信号が出力される。
【００３１】
設定回路６３２は、入力端子Ｔ１１、インバーターＣ１２、ＡＮＤ回路Ｃ１３，Ｃ１４、ＯＲ回路Ｃ１５を備えている。
入力端子Ｔ１１には、バッファーＣ１１の出力信号が入力される。
インバーターＣ１２の入力端子は、バッファーＣ１１の出力信号が入力される。
ＡＮＤ回路Ｃ１３の２つの入力端子には、インバーターＣ１２の出力信号と、分周手段６２から出力された第二の周波数の分周信号とが入力される。本実施形態では、第二の周波数は、１Ｈｚである。
ＡＮＤ回路Ｃ１４の２つの入力端子には、バッファーＣ１１の出力信号と、分周手段６２から出力された第一の周波数の分周信号とが入力される。本実施形態では、第一の周波数は、１／２０Ｈｚである。
ＯＲ回路Ｃ１５の２つの入力端子には、ＡＮＤ回路Ｃ１３の出力信号と、ＡＮＤ回路Ｃ１４の出力信号とが入力される。
【００３２】
このような設定切替手段６３によれば、ヒューズＨ１２が切断された場合は、Ｈレベル信号が切替信号生成回路６３１から出力され、設定回路６３２に入力される。この場合、ＡＮＤ回路Ｃ１３，Ｃ１４のうち、ＡＮＤ回路Ｃ１４からのみクロック信号が出力され、ＯＲ回路Ｃ１５から第一の周波数（１／２０Ｈｚ）のクロック信号が出力され、表示制御手段６４に入力される。
また、ヒューズＨ１１が切断された場合は、Ｌレベル信号が切替信号生成回路６３１から出力され、設定回路６３２に入力される。そして、この場合、ＡＮＤ回路Ｃ１３，Ｃ１４のうち、ＡＮＤ回路Ｃ１３からのみクロック信号が出力され、ＯＲ回路Ｃ１５から第二の周波数（１Ｈｚ）のクロック信号が出力され、表示制御手段６４に入力される。
すなわち、設定回路６３２は、第一の周波数のクロック信号または第二の周波数のクロック信号を切り替えて出力する。
【００３３】
電子時計１では、切替信号生成回路６３１において、ヒューズＨ１１が切断されており、設定切替手段６３から第二の周波数（１Ｈｚ）のクロック信号が表示制御手段６４に出力される。なお、図３における「×」は、ヒューズが切断されていることを示している。
そして、表示制御手段６４は、当該クロック信号に基づいて駆動信号を生成し、当該駆動信号によって各指針１４〜１６の駆動を制御し、第一の運針周期（１秒毎に１ステップ運針）で移動させる。なお、電子時計１では、秒針１４は、６０ステップで１周し、分針１５は、３６００ステップで１周し、時針１６は、４３２００ステップで１周する。
【００３４】
なお、制御手段６は、電子時計１とは異なる電子時計、具体的には、分針１５および時針１６は備えるが、秒針は備えず、分針が１８０ステップで１周し、時針１６が２１６０ステップで１周する電子時計に設けることもできる。
この場合は、切替信号生成回路６３１において、ヒューズＨ１２が切断され、第一の周波数（１／２０Ｈｚ）のクロック信号が表示制御手段６４に出力される。
そして、表示制御手段６４は、当該クロック信号に基づいて駆動信号を生成し、当該駆動信号によって各指針１５，１６を、第二の運針周期（２０秒毎に１ステップ運針）で移動させる。
【００３５】
このように、設定回路６３２は、ヒューズＨ１２が切断されている場合に、第一の周波数（１／２０Ｈｚ）のクロック信号を出力することで、第一の設定として、指針の運針周期を第一の運針周期とする設定を行い、ヒューズＨ１１が切断されている場合に、第二の周波数（１Ｈｚ）のクロック信号を出力することで、第二の設定として、指針の運針周期を、第二の運針周期とする設定を行う。すなわち、設定回路６３２は、ヒューズＨ１１が切断されている場合と、ヒューズＨ１２が切断されている場合とで、制御手段６の機能を切り替える。
【００３６】
［第一実施形態の作用効果］
本実施形態によれば、ヒューズＨ１１およびヒューズＨ１２のいずれかを切断することで、指針の運針周期を、第一の運針周期または第二の運針周期に設定できる。
また、ヒューズＨ１１が切断された場合、および、ヒューズＨ１２が切断された場合の両方において、ヒューズＨ１１およびヒューズＨ１２の間のノードは、ＶＤＤ端子およびＶＳＳ端子の一方のみに接続される。このため、バッファーＣ１１の閾値電圧を、例えばヒューズＨ１２の替わりに抵抗が用いられる場合と比べて低く設定できる。これにより、ヒューズＨ１２が切断され、前記ノードがＶＤＤ端子に接続されている場合に、電源電圧が低下した場合でも、バッファーＣ１１の出力信号が反転することを抑制でき、これにより、設定回路６３２の設定を維持でき、運針周期が切り替わることを防止できる。
また、運針周期を第一の運針周期に設定する場合と、第二の運針周期に設定する場合とで、回路パターンを変更する必要がないため、回路を製造するために用いるガラスマスクなどをそれぞれ作成する必要がない。また、ボンディングオプションパッドなどと称される設定を行うための信号入力用のパッドを設ける必要もない。
また、ヒューズＨ１１およびヒューズＨ１２のいずれかが切断されるため、ヒューズが切断された後は、ＶＤＤ端子とＶＳＳ端子との間が非導通状態となり、ＶＤＤ端子とＶＳＳ端子との間に貫通電流が流れることを防止できる。これにより、制御手段６の消費電力、すなわち、電子時計の消費電力を低減できる。
また、秒針１４、分針１５、時針１６を備える電子時計１と、分針１５、時針１６を備える電子時計とで、制御手段６を兼用できる。
【００３７】
［第二実施形態］
第二実施形態の電子時計は、蓄電手段５の蓄電量が低下すると、電源電圧が低下した旨を、秒針１４を通常の運針周期とは異なる所定の運針周期で移動させることで表示するＢＬＤ機能を有している。そして、第一実施形態の設定回路６３２は、指針の通常時の運針周期の設定を行っているが、第二実施形態の設定回路６３２Ａは、前記所定の運針周期で指針を運針させるためのクロック信号を生成するか否かの設定を行う。
【００３８】
図４は、第二実施形態の設定切替手段６３Ａの回路構成を示す図である。
設定切替手段６３Ａは、切替信号生成回路６３１Ａと、設定回路６３２Ａとを備える。
切替信号生成回路６３１Ａは、第一実施形態の切替信号生成回路６３１と同様の構成を備え、ヒューズＨ２１，Ｈ２２、バッファーＣ２１を備えて構成されている。
設定切替手段６３Ａでは、制御手段が、ＢＬＤ機能を有する時計に設けられるか、ＢＬＤ機能を有していない時計に設けられるかに応じて、ヒューズＨ２１，Ｈ２２のいずれか一方が切断される。
【００３９】
設定回路６３２Ａは、バッファーＣ２１の出力信号が入力される入力端子Ｔ２１と、ＡＮＤ回路Ｃ２２とを備えている。
ＡＮＤ回路Ｃ２２の２つの入力端子には、分周手段６２から出力された所定の周波数の分周信号と、バッファーＣ２１の出力信号とが入力される。本実施形態では、所定の周波数は、４Ｈｚである。
【００４０】
このような設定切替手段６３Ａによれば、ヒューズＨ２２が切断された場合は、切替信号生成回路６３１ＡからＨレベル信号が出力され、設定回路６３２Ａは、所定の周波数（４Ｈｚ）の分周信号を、表示制御手段６４に出力する。
また、ヒューズＨ２１が切断された場合は、切替信号生成回路６３１ＡからＬレベル信号が出力され、設定回路６３２Ａは、クロック信号を出力しない。
【００４１】
本実施形態の電子時計では、切替信号生成回路６３１Ａにおいて、ヒューズＨ２２が切断されており、設定切替手段６３から所定の周波数（４Ｈｚ）のクロック信号が表示制御手段６４に出力される。
そして、表示制御手段６４は、ＢＬＤ機能が実行されている場合、当該クロック信号に基づいて駆動信号を生成し、当該駆動信号によって各指針１４〜１６の駆動を制御し、所定の運針周期（２秒毎に２ステップ運針）で移動させる。
なお、表示制御手段６４は、ＢＬＤ機能が実行されていない場合（通常時）は、分周手段６２から出力される１Ｈｚの分周信号に基づいて駆動信号を生成し、当該駆動信号によって各指針１４〜１６の駆動を制御し、通常の運針周期（１秒毎に１ステップ運針）で移動させる。
【００４２】
なお、本実施形態の制御手段は、ＢＬＤ機能を有していない電子時計に設けることもできる。
この場合、切替信号生成回路６３１Ａにおいて、ヒューズＨ２１が切断され、クロック信号は出力されない。そして、表示制御手段６４は、分周手段６２から出力される１Ｈｚの分周信号に基づいて駆動信号を生成し、当該駆動信号によって各指針１４〜１６の駆動を制御し、通常の運針周期（１秒毎に１ステップ運針）で移動させる。
【００４３】
このように、設定回路６３２Ａは、ヒューズＨ２２が切断されている場合に、前記所定の周波数（４Ｈｚ）のクロック信号を出力することで、第一の設定として、秒針１４を前記所定の運針周期で運針させるためのクロック信号を生成する設定を行い、ヒューズＨ２１が切断されている場合に、前記所定の周波数のクロック信号を出力しないことで、第二の設定として、秒針１４を前記所定の運針周期で運針させるためのクロック信号を生成しない設定を行う。
【００４４】
［第二実施形態の作用効果］
本実施形態によれば、ヒューズＨ２１およびヒューズＨ２２のいずれかを切断することで、秒針１４を前記所定の運針周期で運針させるためのクロック信号を生成するか否かを切り替えることができる。
また、電源電圧が低下した場合でも、設定回路６３２Ａの設定を維持できるため、ＢＬＤ機能の実行時、クロック信号が生成されずに秒針１４が停止することを防止できる。
また、ＢＬＤ機能を備える電子時計と、ＢＬＤ機能を備えない電子時計とで、制御手段を兼用できる。
【００４５】
［第三実施形態］
第三実施形態の電子時計は、表示制御手段６４が、秒針１４を早送りで移動させる機能を有している。また、第一実施形態の設定切替手段６３は、各指針１４〜１６の通常時の運針周期の設定を行っているが、第三実施形態の設定切替手段６３Ｂは、秒針１４の早送りの速度の設定を行っている。なお、本実施形態では、秒針１４は、分針１５および時針１６とは別のモーター駆動手段およびステップモーターによって駆動される。
【００４６】
図５は、設定切替手段６３Ｂの回路構成を示す図である。
設定切替手段６３Ｂは、切替信号生成回路６３１Ｂ，６３３Ｂと、設定回路６３２Ｂとを備える。
切替信号生成回路６３１Ｂは、第一実施形態の切替信号生成回路６３１と同様の構成を備え、ヒューズＨ３１，Ｈ３２、バッファーＣ３１を備えて構成されている。
切替信号生成回路６３３Ｂも、切替信号生成回路６３１と同様の構成を備え、ヒューズＨ３３，Ｈ３４、バッファーＣ３２を備えて構成されている。すなわち、ヒューズＨ３１、Ｈ３２と、ヒューズＨ３３、Ｈ３４とは、並列接続されている。
ここで、ヒューズＨ３３は、本発明の第三のヒューズの一例であり、ヒューズＨ３４は、本発明の第四のヒューズの一例である。
設定切替手段６３Ｂでは、秒針１４の早送りの速度に関する仕様に応じて、ヒューズＨ３１，Ｈ３２のいずれか一方、および、ヒューズＨ３３、Ｈ３４のいずれか一方が切断される。
【００４７】
設定回路６３２Ｂは、入力端子Ｔ３１，Ｔ３２、インバーターＣ３３〜Ｃ３６、ＡＮＤ回路Ｃ３７〜Ｃ４０、ＯＲ回路Ｃ４１を備えている。
入力端子Ｔ３１は、本発明の第一の入力端子の一例であり、切替信号生成回路６３１ＢのバッファーＣ３１の出力信号が入力される。
入力端子Ｔ３２は、本発明の第二の入力端子の一例であり、切替信号生成回路６３３ＢのバッファーＣ３２の出力信号が入力される。
インバーターＣ３３，Ｃ３６の入力端子には、切替信号生成回路６３３Ｂの出力信号が入力される。インバーターＣ３４，Ｃ３５の入力端子には、切替信号生成回路６３１Ｂの出力信号が入力される。
ＡＮＤ回路Ｃ３７の３つの入力端子には、分周手段６２から出力された第一の周波数の分周信号と、切替信号生成回路６３１Ｂの出力信号と、切替信号生成回路６３３Ｂの出力信号とが入力される。本実施形態では、第一の周波数は、８Ｈｚである。
ＡＮＤ回路Ｃ３８の３つの入力端子には、分周手段６２から出力された第二の周波数の分周信号と、切替信号生成回路６３１Ｂの出力信号と、インバーターＣ３３の出力信号とが入力される。本実施形態では、第二の周波数は、１６Ｈｚである。
ＡＮＤ回路Ｃ３９の３つの入力端子には、分周手段６２から出力された第三の周波数の分周信号と、インバーターＣ３４の出力信号と、切替信号生成回路６３３Ｂの出力信号とが入力される。本実施形態では、第三の周波数は、第二の周波数と同じ周波数（１６Ｈｚ）である。
ＡＮＤ回路Ｃ４０の３つの入力端子には、分周手段６２から出力された第四の周波数の分周信号と、インバーターＣ３５の出力信号と、インバーターＣ３６の出力信号とが入力される。本実施形態では、第四の周波数は、３２Ｈｚである。
ＯＲ回路Ｃ４１の４つの入力端子には、ＡＮＤ回路Ｃ３７〜Ｃ４０の出力信号が入力される。
【００４８】
このような設定切替手段６３Ｂによれば、ヒューズＨ３２，Ｈ３４が切断された場合は、切替信号生成回路６３１ＢからＨレベル信号が出力され、切替信号生成回路６３３ＢからＨレベル信号が出力される。この場合、ＡＮＤ回路Ｃ３７〜Ｃ４０のうち、ＡＮＤ回路Ｃ３７からのみクロック信号が出力され、ＯＲ回路Ｃ４１から第一の周波数（８Ｈｚ）のクロック信号が出力される。
また、ヒューズＨ３２，Ｈ３３が切断された場合は、切替信号生成回路６３１ＢからＨレベル信号が出力され、切替信号生成回路６３３ＢからＬレベル信号が出力される。この場合、ＡＮＤ回路Ｃ３７〜Ｃ４０のうち、ＡＮＤ回路Ｃ３８からのみクロック信号が出力され、ＯＲ回路Ｃ４１から第二の周波数（１６Ｈｚ）のクロック信号が出力される。
また、ヒューズＨ３１，Ｈ３４が切断された場合は、切替信号生成回路６３１ＢからＬレベル信号が出力され、切替信号生成回路６３３ＢからＨレベル信号が出力される。この場合、ＡＮＤ回路Ｃ３７〜Ｃ４０のうち、ＡＮＤ回路Ｃ３９からのみクロック信号が出力され、ＯＲ回路Ｃ４１から第三の周波数（１６Ｈｚ）のクロック信号が出力される。
また、ヒューズＨ３１，Ｈ３３が切断された場合は、切替信号生成回路６３１ＢからＬレベル信号が出力され、切替信号生成回路６３３ＢからＬレベル信号が出力される。この場合、ＡＮＤ回路Ｃ３７〜Ｃ４０のうち、ＡＮＤ回路Ｃ４０からのみクロック信号が出力され、ＯＲ回路Ｃ４１から第四の周波数（３２Ｈｚ）のクロック信号が出力される。
【００４９】
そして、表示制御手段６４は、秒針１４を早送りで移動させる場合、設定切替手段６３Ｂから出力されるクロック信号に基づいて駆動信号を生成し、当該駆動信号によって秒針１４の駆動を制御し、当該クロック信号の周波数に応じた速度で移動させる。
すなわち、クロック信号が第一周波数（８Ｈｚ）の場合は、秒針１４を、１秒間に８ステップ運針させ、８倍速で移動させる。クロック信号が第二、第三周波数（１６Ｈｚ）の場合は、秒針１４を、１秒間に１６ステップ運針させ、１６倍速で移動させる。クロック信号が第四周波数（３２Ｈｚ）の場合は、秒針１４を、１秒間に３２ステップ運針させ、３２倍速で移動させる。
なお、表示制御手段６４は、通常時は、分周手段６２から出力される１Ｈｚの分周信号に基づいて駆動信号を生成し、当該駆動信号によって各指針１４〜１６の駆動を制御し、通常の運針周期（１秒毎に１ステップ運針）で移動させる。
【００５０】
このように、設定回路６３２Ｂは、ヒューズＨ３２，Ｈ３４が切断されている場合に、第一の周波数（８Ｈｚ）を出力することで、第一の設定として、秒針１４を早送りする際の速度を、第一の速度（８倍速）とする設定を行う。
また、ヒューズＨ３２，Ｈ３３が切断されている場合に、第二の周波数（１６Ｈｚ）を出力することで、第二の設定として、秒針１４を早送りする際の速度を、第二の速度（１６倍速）とする設定を行う。
また、ヒューズＨ３１，Ｈ３４が切断されている場合に、第三の周波数（１６Ｈｚ）を出力することで、第三の設定として、秒針１４を早送りする際の速度を、第三の速度（１６倍速）とする設定を行う。なお、本実施形態では、第三の速度は、第二の速度と同じであるが、第三の周波数を変更することで、第一の速度、第二の速度、第四の速度とは異なる速度に設定してもよい。
また、ヒューズＨ３１，Ｈ３３が切断されている場合に、第四の周波数（３２Ｈｚ）を出力することで、第四の設定として、秒針１４を早送りする際の速度を、第四の速度（３２倍速）とする設定を行う。
【００５１】
［第三実施形態の作用効果］
本実施形態によれば、ヒューズＨ３１，Ｈ３２の一方、および、ヒューズＨ３３，Ｈ３４の一方を切断することで、秒針１４を早送りする際の速度を、第一の速度、第二の速度、第三の速度、第四の速度のいずれかに設定できる。
また、ヒューズＨ３２が切断され、ヒューズＨ３１およびヒューズＨ３２の間のノードがＶＤＤ端子に接続されている場合や、ヒューズＨ３４が切断され、ヒューズＨ３３およびヒューズＨ３４の間のノードがＶＤＤ端子に接続されている場合に、電源電圧が低下した場合でも、バッファーＣ３１，Ｃ３２の出力信号が反転することを抑制でき、これにより、設定回路６３２Ｂの設定を維持でき、秒針１４を早送りする際の速度が切り替わることを防止できる。
また、ヒューズＨ３１およびヒューズＨ３２のいずれか、および、ヒューズＨ３３およびヒューズＨ３４のいずれかが切断されるため、ヒューズが切断された後は、ＶＤＤ端子とＶＳＳ端子との間が非導通状態となり、ＶＤＤ端子とＶＳＳ端子との間に貫通電流が流れることを防止できる。これにより、制御手段の消費電力、すなわち、電子時計の消費電力を低減できる。
また、秒針１４を早送りする際の移動速度が異なる電子時計において、制御手段を兼用できる。
【００５２】
［第四実施形態］
第四実施形態の制御手段は、設定切替手段６３Ｃの切替信号生成回路６３１Ｃが、制御手段の検査時に、出力信号をＬレベル信号に固定するための回路を備えている点で、第一実施形態の制御手段６とは異なる。
【００５３】
図６は、設定切替手段６３Ｃの回路構成を示す図である。
設定切替手段６３Ｃは、切替信号生成回路６３１Ｃと、設定回路６３２Ｃとを備える。
設定回路６３２Ｃは、第一実施形態の設定回路６３２と同様の構成を備え、入力端子Ｔ５１、インバーターＣ５２、ＡＮＤ回路Ｃ５３，Ｃ５４、ＯＲ回路Ｃ５５を備えて構成されている。
【００５４】
切替信号生成回路６３１Ｃは、第一実施形態の切替信号生成回路６３１と同様のヒューズＨ５１，Ｈ５２、バッファーＣ５１を備える他、ＰＭＯＳトランジスターＴＲ５１、ＮＭＯＳトランジスターＴＲ５２を備える。
【００５５】
ＰＭＯＳトランジスターＴＲ５１は、ＶＤＤ端子とヒューズＨ５１との間に接続され、ゲートに検査モードか否かを示すモード信号が入力される。
ここで、ＰＭＯＳトランジスターＴＲ５１は、ＶＤＤ端子とヒューズＨ５１との間の接続状態を、導通状態または非導通状態に切り替える本発明のスイッチ素子の一例である。
ＮＭＯＳトランジスターＴＲ５２は、ＶＳＳ端子と、ヒューズＨ５１およびＰＭＯＳトランジスターＴＲ５１の間のノードＮ１との間に接続され、ゲートに前記モード信号が入力される。
【００５６】
次に、制御手段の電気的特性検査などの検査時における切替信号生成回路６３１Ｃの動作について説明する。制御手段の検査は、例えば、モーター駆動手段６５の出力信号を検出することで行われる。なお、制御手段の検査では、例えば、消費電力の検査などが行われる。
なお、ヒューズＨ５１，Ｈ５２は、制御手段の検査が終了した後に、電子時計の仕様に応じて切断されるため、検査の段階では切断されていない。
検査時は、ＰＭＯＳトランジスターＴＲ５１およびＮＭＯＳトランジスターＴＲ５２のゲートに、「１，０」の「１」を示す信号として、Ｈレベル信号が入力される。
この場合、ＰＭＯＳトランジスターＴＲ５１がＯＦＦ状態（非導通状態）となり、ＮＭＯＳトランジスターＴＲ５２がＯＮ状態（導通状態）となる。
これにより、ヒューズＨ５１はＶＳＳ端子に接続され、ＶＤＤ端子とは接続されない。このため、ＶＤＤ端子とＶＳＳ端子との間が非導通状態となるため、ヒューズＨ５１およびヒューズＨ５２が切断されていなくても、ＶＤＤ端子とＶＳＳ端子との間に貫通電流は流れない。また、切替信号生成回路６３１Ｃの出力信号は、Ｌレベル信号に固定される。
【００５７】
次に、電子時計の使用時における切替信号生成回路６３１Ｃの動作について説明する。
使用時（通常時）は、ＰＭＯＳトランジスターＴＲ５１およびＮＭＯＳトランジスターＴＲ５２のゲートに、「１，０」の「０」を示す信号として、Ｌレベル信号が入力される。
この場合、ＰＭＯＳトランジスターＴＲ５１がＯＮ状態（導通状態）となり、ＮＭＯＳトランジスターＴＲ５２がＯＦＦ状態（非導通状態）となる。
これにより、ヒューズＨ５１はＶＤＤ端子に接続され、ＶＳＳ端子とは接続されない。このため、切替信号生成回路６３１Ｃは、第一実施形態の切替信号生成回路６３１と同様に動作する。
【００５８】
［第四実施形態の作用効果］
本実施形態によれば、制御手段の検査時に、ＶＤＤ端子とＶＳＳ端子との間に貫通電流が流れることを防止できるため、当該貫通電流が制御手段の電気的特性検査などの検査に与える影響を、排除することができる。
また、切替信号生成回路６３１Ｃの出力信号は、Ｌレベル信号に固定されるため、設定切替手段６３Ｃの動作が安定し、検査を適切に行うことができる。
【００５９】
［第五実施形態］
第五実施形態の制御手段は、切替信号生成回路のヒューズが切断された場合と同様の検査を、ヒューズを切断することなく行うことができる回路を備えている点で、第一実施形態の制御手段とは異なる。
【００６０】
図７は、第五実施形態の設定切替手段６３Ｄの回路構成を示す図である。
設定切替手段６３Ｄは、切替信号生成回路６３１Ｄと、設定回路６３２Ｄと、信号切替回路６３４Ｄとを備える。
切替信号生成回路６３１Ｄは、第一実施形態の切替信号生成回路６３１と同様の構成を備え、ヒューズＨ６１，Ｈ６２、バッファーＣ６１を備えて構成されている。
設定回路６３２Ｄは、第一実施形態の設定回路６３２と同様の構成を備え、入力端子Ｔ６１、インバーターＣ６２、ＡＮＤ回路Ｃ６３，Ｃ６４、ＯＲ回路Ｃ６５を備えて構成されている。
【００６１】
信号切替回路６３４Ｄは、ヒューズ間入力端子Ｔ６２、モード信号入力端子Ｔ６３、検査用信号入力端子Ｔ６４、インバーターＣ６６、ＡＮＤ回路Ｃ６７，Ｃ６８、ＯＲ回路Ｃ６９を備えている。
ヒューズ間入力端子Ｔ６２には、バッファーＣ６１の出力信号が入力される。
モード信号入力端子Ｔ６３には、検査モードか否かを示すモード信号が入力される。
検査用信号入力端子Ｔ６４には、信号レベルがＨレベルまたはＬレベルに任意に設定される検査用の信号が入力される。
インバーターＣ６６の入力端子には、モード信号が入力される。
ＡＮＤ回路Ｃ６７の２つの入力端子には、切替信号生成回路６３１Ｄの出力信号と、インバーターＣ６６の出力信号とが入力される。
ＡＮＤ回路Ｃ６８の２つの入力端子には、モード信号と検査用の信号とが入力される。
ＯＲ回路Ｃ６９の２つの入力端子には、ＡＮＤ回路Ｃ６７の出力信号と、ＡＮＤ回路Ｃ６８の出力信号とが入力される。
【００６２】
次に、制御手段の検査時における設定切替手段６３Ｄの動作について説明する。
なお、ヒューズＨ６１，Ｈ６２は、制御手段の検査が終了した後に、電子時計の仕様に応じて切断されるため、検査の段階では切断されていない。
検査時は、モード信号として、Ｈレベル信号が信号切替回路６３４Ｄに入力される。この場合、ＡＮＤ回路Ｃ６７，Ｃ６８のうち、ＡＮＤ回路Ｃ６８からのみ信号が出力され、ＯＲ回路Ｃ６９から検査用の信号が出力され、設定回路６３２Ｄに入力される。
このため、検査用の信号をＨレベル信号に設定することで、ヒューズＨ６２を切断した場合と同じ信号を設定回路６３２Ｄに出力することができ、ヒューズＨ６２を切断した場合と同じ設定のもと、制御手段の検査を実行できる。
また、検査用の信号をＬレベル信号に設定することで、ヒューズＨ６１を切断した場合と同じ信号を設定回路６３２Ｄに出力することができ、ヒューズＨ６１を切断した場合と同じ設定のもと、制御手段の検査を実行できる。
【００６３】
次に、電子時計の使用時における設定切替手段６３Ｄの動作について説明する。
使用時（通常時）は、モード信号として、Ｌレベル信号が信号切替回路６３４Ｄに入力される。この場合、ＡＮＤ回路Ｃ６７，Ｃ６８のうち、ＡＮＤ回路Ｃ６７からのみ信号が出力され、ＯＲ回路Ｃ６９から切替信号生成回路６３１Ｄの出力信号が出力され、設定回路６３２Ｄに入力される。このため、設定切替手段６３Ｄは、第一実施形態の設定切替手段と同様に動作する。
【００６４】
［第五実施形態の作用効果］
本実施形態によれば、ヒューズＨ６１が切断された場合と同様の検査、および、ヒューズＨ６２が切断された場合と同様の検査を、ヒューズＨ６１，Ｈ６２を切断することなく行うことができる。
【００６５】
［他の実施形態］
なお、本発明は前述の各実施形態に限定されるものではなく、本発明の目的を達成できる範囲での変形、改良等は本発明に含まれるものである。
【００６６】
前記第三実施形態では、秒針を早送りする際の速度を最大で４段階に切り替える場合について例示しているが、本発明はこれに限定されない。すなわち、表示に関する設定を４段階に切り替える場合に適用できる。
また、前記第三実施形態では、設定切替手段６３Ｂは、切替信号生成回路を２つ備えていたが、本発明はこれに限定されない。例えば、設定切替手段は、切替信号生成回路を３つ以上備えていてもよく、この場合、設定回路は、表示に関する設定を５段階以上に切り替えることができる。
【００６７】
前記第四実施形態および前記第五実施形態では、各検査用の構成を、前記第一実施形態の設定切替手段に適用した場合を例示しているが、本発明はこれに限定されない。すなわち、前記第二実施形態や前記第三実施形態の設定切替手段に適用してもよい。
なお、検査用の構成を第三実施形態の設定切替手段に適用する場合は、切替信号生成回路６３１Ｂ，６３３Ｂの両方、または、いずれか一方に対して適用できる。
また、第四実施形態の検査用の構成および第五実施形態の検査用の構成を合わせて用いてもよい。
【００６８】
前記第四実施形態では、スイッチ素子がＶＤＤ端子とヒューズＨ５１との間に接続されているが、本発明はこれに限定されない。
例えば、スイッチ素子は、ＶＳＳ端子とヒューズＨ５２との間に接続されていてもよい。この場合、検査時に、切替信号生成回路６３１Ｃの出力信号は、Ｈレベル信号に固定される。
【００６９】
前記各実施形態では、発電手段３に、回転錘２の運動やりゅうず１７の回転に応じて発電する交流発電機が用いられているが、本発明はこれに限定されない。
例えば、光を電気エネルギーに変換するソーラーパネルが用いられていてもよい。
【００７０】
前記各実施形態では、設定回路は、指針を駆動させるためのクロック信号に関する設定を行っているが、本発明はこれに限定されない。すなわち、表示に関する他の設定を行ってもよい。
例えば、クロノグラフ機能を備える時計の場合は、クロノグラフがリセットされた場合にクロノグラフ針が０位置に戻る際の移動方式を設定してもよい。例えば、第一の設定として、クロノグラフ針を時計回りに回転させて０位置に戻す設定を行い、第二の設定として、クロノグラフ針の位置に応じてクロノグラフ針を時計回りまたは反時計回りに回転させて０位置に戻す設定を行う。
【００７１】
前記各実施形態では、表示手段は、ステップモーター７および指針１４〜１６を備えているが、本発明はこれに限定されない。
例えば、表示手段は、液晶パネルおよび当該液晶パネルを駆動するドライバー回路を備えていてもよい。
【符号の説明】
【００７２】
１…電子時計、１４…秒針、１５…分針、１６…時針、２５５…モーター駆動手段、３…発電手段、４…整流手段、５…蓄電手段、６…制御手段、６１…発振手段、６２…分周手段、６３…設定切替手段、６３１…切替信号生成回路、６３２…設定回路、６３４Ｄ…信号切替回路、６４…表示制御手段、６５…モーター駆動手段、７…ステップモーター、Ｃ１１…バッファー、Ｃ１２…インバーター、Ｃ１３，Ｃ１４…ＡＮＤ回路、Ｃ１５…ＯＲ回路、Ｈ１１，Ｈ１２…ヒューズ、Ｔ１１，Ｔ３１，Ｔ３２…入力端子、Ｔ６２…ヒューズ間入力端子、Ｔ６３…モード信号入力端子、Ｔ６４…検査用信号入力端子、ＴＲ５１…ＰＭＯＳトランジスター。
【図１】
2017096849.tif 000003
【図２】
2017096849.tif 000004
【図３】
2017096849.tif 000005
【図４】
2017096849.tif 000006
【図５】
2017096849.tif 000007
【図６】
2017096849.tif 000008
【図７】
2017096849.tif 000009